(57)【要約】【課題】密着イメージセンサ繋ぎ目の画像品質を向上させる。【解決手段】  イメージセンサ１０１〜１０５を千鳥状に配置し、且つ隣り合う各イメージセンサを主走査方向に重複して配置して、副走査方向手前側のイメージセンサで読み取った画像データと、副走査方向後側のイメージセンサで読み取った画像データと、を各画像データの遅延量を調整して合成させる画像処理部７０４を備えた画像読取装置６において、画像処理部７０４は、メモリ７０５〜７０７と、画像反転部７１１、７１２と、を有し、信号コネクタ２０４、２０５に接続する信号ハーネス１１４、１１５の着脱方向は、隣り合うイメージセンサ同士で、互いに副走査方向の反対向きであり、画像処理部７０４は、画像反転部７１１、７１２により、隣り合うイメージセンサで互いに１つ置きに反転された画像データを、副走査方向に一列に合成することを特徴とする画像読取装置６。【選択図】図２
2016152424.tif 000002
【特許請求の範囲】
【請求項１】
複数個のイメージセンサを千鳥状に配置し、且つ隣り合う各前記イメージセンサを主走査方向に重複して配置して、原稿を搬送させながら画像を読み取り、
副走査方向手前側の前記イメージセンサで読み取った画像データと、副走査方向後側の前記イメージセンサで読み取った画像データと、を前記各画像データの遅延量を調整して合成させる画像合成手段を備えた画像読取装置において、
前記画像合成手段は、前記画像データを、一次記憶する一次記憶手段と、前記一次記憶した画像データを、隣り合う前記イメージセンサの１つ置きに、主走査方向に反転させる画像データ反転手段と、を有し、
前記イメージセンサの一方の端部に設けられた信号コネクタの主走査方向における位置が、隣り合う前記イメージセンサの主走査方向重複領域内に配置され、
前記信号コネクタに接続するハーネスの着脱方向は、隣り合う前記イメージセンサ同士で、互いに副走査方向の反対向きであり、
前記画像合成手段は、前記画像データ反転手段により、隣り合うイメージセンサで互いに１つ置きに反転された画像データを、副走査方向に一列に合成することを特徴とする画像読取装置。
【請求項２】
隣り合う前記イメージセンサを、副走査方向に接触することなく近接させたことを特徴とする請求項１に記載の画像読取装置
【請求項３】
全ての前記イメージセンサを同一仕様としたことを特徴とする請求項１または請求項２のいずれか１項に記載の画像読取装置。
【請求項４】
請求項１〜請求項３のいずれか１項に記載の画像読取装置を備えたことを特徴とする画像形成装置。
【発明の詳細な説明】
【技術分野】
【０００１】
本発明は、プリンタ等に用いられる画像読取装置およびこれを用いた画像形成装置に関し、特に千鳥状に配置されたイメージセンサによる画像の繋ぎ目位置の調整に関する。
【背景技術】
【０００２】
Ａ０サイズの様な、広幅ＣＩＳ（以下、密着イメージセンサともいう）読取を実現するにあたり、Ａ３やＡ４サイズのＣＩＳを千鳥状に並べ低コストで実現する千鳥方式がある(図７、図８参照)。Ａ０サイズのＣＩＳのような１本ものは需要が少ないため高コストであるが、Ａ３やＡ４サイズのＣＩＳは汎用性が高く大量生産されており低コストであるため、千鳥方式に用いられている。
【０００３】
図７、図８における画像読取装置においてはコンタクトガラス２０６の下にＣＩＳ２０１〜２０６が千鳥状に配置され、その上を原稿シートＳが搬送ローラ２０８、２０９の間を通って副走査方向に搬送される。各ＣＩＳにより読み取られた画像データは信号ケーブル３０４、３０５に接続された信号ハーネス２１１〜２１５を経由して画像処理部に送信される。
【０００４】
千鳥方式では、各ＣＩＳの読取を主走査方向または副走査方向で、あたかも単一ＣＩＳで読み取ったように、各画像の繋ぎ目位置の調整を行う必要がある。主走査方向の画像繋ぎ目位置調整は、ＣＩＳの読取範囲を調整することにより行ない、副走査方向の画像繋ぎ目位置調整は、遅延メモリの遅延時間を調整することにより行われている。
【０００５】
この画像繋ぎ目位置調整は、原稿搬送速度ムラにより、副走査方向の画像合成のタイミングが狙いからずれ、繋ぎ目部分の画像が副走査方向にずれるという問題が発生しやすい。
【０００６】
このような千鳥方式による問題を解決するため、特許文献１には、ＣＩＳの主走査方向重複領域でコンタクトガラス上の複数の細線を読み取り、読み取った信号をもとに各ＣＩＳの繋ぎ目位置調整を行う技術が開示されている。また、特許文献２には暗電流補正用の画素ＯＰＢの画像信号を各ＣＩＳの位置検知に利用する技術が開示されている。また、特許文献３には圧板部分に印をつけ、その印を読み取る事で、千鳥配置の位置のズレを検出し、各ＣＩＳの配置のズレを補正する技術が開示されている。
【発明の概要】
【発明が解決しようとする課題】
【０００７】
しかしながら、特許文献１〜３に開示された千鳥方式では、いずれも繋ぎ目位置調整に際し、原稿搬送速度ムラの影響を受けやすいという問題があった。原稿搬送速度ムラの影響を受けやすい理由は、各ＣＩＳの副走査方向間距離を一定程度とっていることから遅延メモリの遅延時間にバラツキが生じやすいためである。
【０００８】
これに対し、各ＣＩＳを副走査方向に近接化させることで原稿搬送速度ムラの影響を受けにくくし、ＣＩＳ繋ぎ目の画像品質の向上を図ることが考えられる。以下に各ＣＩＳを副走査方向に近接化させた場合の問題点について説明する。
【０００９】
図９および図１０は一般的な千鳥方式による画像読取装置におけるＣＩＳの配置例を示している。
【００１０】
一般に汎用のＣＩＳ４０１〜４０５は、副走査方向に着脱可能な、信号コネクタ５０４、５０５を有しており、副走査査方向に、信号ハーネス４１１〜４１５を着脱するようになっている。また、信号コネクタ５０４、５０５は、ＣＩＳ４０１〜４０５の主走査方向の片側端部に配置されるようになっている。このため、ＣＩＳ４０１〜４０５を千鳥配置すると、ＣＩＳの主走査方向重複領域内に、信号コネクタ５０４、５０５および、信号ハーネス４１１〜４１５が配置される。
【００１１】
したがって、各ＣＩＳの副走査方向間距離を縮めると、信号ハーネス４１１〜４１５の根元部が干渉してしまうので、各ＣＩＳの副走査方向間距離を縮小することは困難であった。
【００１２】
本発明はこのような問題を解決するためになされたもので、密着イメージセンサ繋ぎ目の画像品質を向上させることができる画像読取装置および画像形成装置を提供することを目的とする。
【課題を解決するための手段】
【００１３】
本発明に係るシート搬送装置は、上記目的を達成するため、複数個のイメージセンサを千鳥状に配置し、且つ隣り合う各前記イメージセンサを主走査方向に重複して配置して、原稿を搬送させながら画像を読み取り、副走査方向手前側の前記イメージセンサで読み取った画像データと、副走査方向後側の前記イメージセンサで読み取った画像データと、を前記各画像データの遅延量を調整して合成させる画像合成手段を備えた画像読取装置において、前記画像合成手段は、前記画像データを、一次記憶する一次記憶手段と、前記一次記憶した画像データを、隣り合う前記イメージセンサの1つ置きに、主走査方向に反転させる画像データ反転手段と、を有し、前記イメージセンサの一方の端部に設けられた信号コネクタの主走査方向における位置が、隣り合う前記イメージセンサの主走査方向重複領域内に配置され、前記信号コネクタに接続するハーネスの着脱方向は、隣り合う前記イメージセンサ同士で、互いに副走査方向の反対向きであり、前記画像合成手段は、前記画像データ反転手段により、隣り合うイメージセンサで互いに１つ置きに反転された画像データを、副走査方向に一列に合成することを特徴とする。
【発明の効果】
【００１４】
本発明によれば、密着イメージセンサ繋ぎ目の画像品質を向上させることができる画像読取装置および画像形成装置を提供することを目的とする。
【図面の簡単な説明】
【００１５】
【図１】本発明の実施の形態に係る画像形成装置の概略構成図である。
【図２】本発明の実施の形態に係る画像読取装置のＣＩＳの配置構成を示す上面図である。
【図３】本発明の実施の形態に係る画像読取装置のＣＩＳの配置構成を示す側面図である。
【図４】本発明の実施の形態に係る画像読取装置のＣＩＳの配置構成および制御構成を示すブロック図である。
【図５】本発明の実施の形態に係る画像読取装置を用いて画像の主走査方向反転処理を行った例を示す図である。
【図６】本発明の実施の形態に係る画像読取装置の画像合成の過程を示すフロー図である。
【図７】従来の画像読取装置におけるＣＩＳの配置構成を示す上面図である。
【図８】従来の画像読取装置におけるＣＩＳの配置構成を示す側面図である。
【図９】従来の画像読取装置におけるＣＩＳの配置構成を示す上面図である。
【図１０】従来の画像読取装置におけるＣＩＳの配置構成を示す側面図である。
【発明を実施するための形態】
【００１６】
以下、本発明の実施の形態について、図面を参照して説明する。
【００１７】
図１に示すように、本実施の形態に係る画像形成装置１は、給紙部２、画像形成部３および画像読取部４を有する装置本体１Ｍと、装置本体１Ｍ上に配置された自動原稿搬送部（ＡＤＦ）５とを備えたデジタル複合機である。画像読取部４および自動原稿搬送部５は、画像読取装置６を構成している。
【００１８】
給紙部２は、それぞれカットシート状の転写紙Ｐを積層状態で収納可能な複数段の給紙カセット２１Ａ、２１Ｂ、２１Ｃを有している。各給紙カセット２１Ａ、２１Ｂ、２１Ｃには、例えば複数のシートサイズから予め選択されたシートサイズの転写紙Ｐ（例えば白紙）が、縦又は横の給紙方向に向けて収容されるようになっている。
【００１９】
給紙部２は、給紙カセット２１Ａ、２１Ｂ、２１Ｃに収納された転写紙Ｐをそれぞれの最上層側から順次ピックアップして分離給紙する給紙装置２２Ａ、２２Ｂ、２２Ｃを有している。給紙部２には、さらに、各種ローラ２３等が設けられており、これらによって、各給紙装置２２Ａ、２２Ｂ、２２Ｃから給紙された転写紙Ｐを画像形成部３の所定の画像形成位置まで搬送する給紙経路２４が形成されている。
【００２０】
画像形成部３は、露光装置３１と、感光体ドラム３２Ｋ、３２Ｙ、３２Ｍ、３２Ｃと、ブラック（Ｋ）、イエロー（Ｙ）、マゼンタ（Ｍ）およびシアン（Ｃ）のトナーが充填された現像装置３３Ｋ、３３Ｙ、３３Ｍ、３３Ｃとを備えている。また、画像形成部３は、一次転写部３４と、二次転写部３５と、定着部３６とを備えている。
【００２１】
露光装置３１は、例えば、画像読取装置６で読み取った画像に基づいて各色の露光用のレーザ光Ｌを生成するようになっている。また、露光装置３１は、レーザ光を各色の感光体ドラム３２Ｋ、３２Ｙ、３２Ｍ、３２Ｃを露光して、各感光体ドラム３２Ｋ、３２Ｙ、３２Ｍ、３２Ｃの表層部に読取画像に対応した各色の静電潜像を形成するようになっている。
【００２２】
現像装置３３Ｋ、３３Ｙ、３３Ｍ、３３Ｃは、それぞれ対応する感光体ドラム３２Ｋ、３２Ｙ、３２Ｍ、３２Ｃに薄層状のトナーを近接させるように供給して、静電潜像をトナーにより顕像化する現像を行うようになっている。
【００２３】
画像形成部３は、感光体ドラム３２Ｋ、３２Ｙ、３２Ｍ、３２Ｃ上に現像されたトナー像を一次転写部３４に一次転写し、一次転写部３４に近接する二次転写部３５でそのトナー像を転写紙Ｐに二次転写するようになっている。また、画像形成部３は、転写紙Ｐに二次転写したトナー像を定着部３６により加熱・加圧して溶融させ、転写紙Ｐにカラー画像を定着させて記録するようになっている。
【００２４】
画像形成部３は、給紙部２から給紙経路２４を経て搬入された転写紙Ｐを二次転写部３５側に搬送する搬送経路３９Ａを有している。この搬送経路３９Ａにおいては、まず、レジストローラ対３７において、転写紙Ｐの搬送タイミングおよび搬送速度が調整されるようになっている。そして、転写紙Ｐは、一次転写部３４および二次転写部３５でのベルト速度に同期した状態で二次転写部３５および定着部３６を通過した後、排紙トレイ３８上に排紙されるようになっている。
【００２５】
画像形成部３は、手差トレイ２５上に載置される転写紙（図示せず）をレジストローラ対３７よりも上流側で搬送経路３９Ａに給紙する手差給紙経路３９Ｂを併有している。
【００２６】
二次転写部３５および定着部３６の下方には、それぞれ複数の搬送ローラおよび搬送ガイド等からなるスイッチバック搬送路３９Ｃおよび反転搬送路３９Ｄが配設されている。
【００２７】
スイッチバック搬送路３９Ｃは、転写紙Ｐの両面に画像を形成する場合に、任意の一面に画像定着が済んだ転写紙Ｐを一端から進入させた後に、後退（進入時とは逆方向に移動）させるスイッチバック搬送を行うようになっている。
【００２８】
反転搬送路３９Ｄは、スイッチバック搬送路３９Ｃによりスイッチバック搬送された転写紙Ｐの表裏を反転させて、レジストローラ対３７に再度給紙するようになっている。
【００２９】
これらスイッチバック搬送路３９Ｃおよび反転搬送路３９Ｄにより、一面に対する画像定着処理を終えた転写紙Ｐは、その進行方向を逆向きに切り替えられた後に表裏反転されて、再び二次転写ニップに進入する。そして、転写紙Ｐは、他面にも画像の二次転写処理と定着処理とが施された後、排紙トレイ３８上に排紙されるようになっている。
【００３０】
画像読取部４は、光源およびミラー部材を搭載した第１キャリッジ４１と、ミラー部材を搭載した第２キャリッジ４２と、結像レンズ４３と、撮像部４４と、第１コンタクトガラス４５とを備えている。これらは装置本体１Ｍ側に配設され、第１コンタクトガラス４５上に搬送される原稿シートＳの片側の画像面（例えば表側の画像面）の画像読取りする第１面読取部４０を構成している。ここにいう第１面とは、自動搬送される原稿シートＳの片面、例えば表側の画像面である。
【００３１】
画像読取部４には、原稿シートＳが載置される第２コンタクトガラス４６と、原稿シートＳの一辺の突当ておよび位置決めが可能な突当部材４７ａ等とが併設されている。
【００３２】
第１キャリッジ４１は、第１コンタクトガラス４５および第２コンタクトガラス４６の下方に、図中の左右方向に移動可能におよび位置制御可能に設けられており、光源からの照明光をミラー部材で反射して露光面側に照射することができるようになっている。原稿シートＳで反射した反射光は、第１キャリッジ４１および第２キャリッジ４２に搭載された各ミラー部材を経由して結像レンズ４３により結像され、撮像部４４にてその結像した画像が読み取られるようになっている。
【００３３】
画像読取部４は、光源点灯状態で第１キャリッジ４１および第２キャリッジ４２を例えば２：１の速度比で移動させつつ、第２コンタクトガラス４６上に置いた原稿シートＳの画像面を露光走査することができるようになっている。そして、画像読取部４は、この露光走査時に撮像部４４により原稿画像を読み取ることで、固定原稿読取機能（いわゆるフラットベッドスキャナ機能）を発揮できるようになっている。
【００３４】
画像読取部４は、第１キャリッジ４１を第１コンタクトガラス４５の直下の定位置に停止させることができるようになっている。そして、画像読取部４は、光源や反射ミラー等からなる光学系を移動させることなく、自動原稿搬送中の原稿シートＳの第１面の画像を読み取る移動原稿読取機能（いわゆるＤＦスキャナ機能）を発揮できるようになっている。
【００３５】
さらに、画像形成装置１は、画像読取部４における第１面読取部４０に加えて、自動原稿搬送部５側に内蔵された第２面読取部４８を併有している。第２面読取部４８は、第１コンタクトガラス４５上を通過した後の原稿シートＳの第２面、例えば裏側の画像面を走査するようになっている。
【００３６】
自動原稿搬送部５は、画像形成装置１の装置本体１Ｍの上部にヒンジ機構を介して開閉動作可能に連結されている。自動原稿搬送部５は、画像読取部４における第１コンタクトガラス４５および第２コンタクトガラス４６を露出させる開放位置と、第１コンタクトガラス４５および第２コンタクトガラス４６を覆う閉止位置との間で回動操作されるようになっている。
【００３７】
自動原稿搬送部５は、シートスルー方式の自動原稿搬送装置として構成されている。自動原稿搬送部５は、原稿載置台である原稿テーブル５１と、各種ローラおよびガイド部材等からなる原稿搬送部５２と、画像読み取り後の原稿シートＳを集積する原稿排紙トレイ５３とを備えている。
【００３８】
図２は本実施の形態に係る画像読取装置６のＣＩＳの配置構成を示す上面図であり、イメージセンサにＣＩＳを使用した例を説明する。本実施の形態では５本のＣＩＳを配置した場合を示すが、配置するＣＩＳの本数は必ずしもこれに限られない。
【００３９】
本実施の形態において、各ＣＩＳは同一仕様の製品で構成されている。副走査方向手前側のＣＩＳ１０１、ＣＩＳ１０３、ＣＩＳ１０５と、副走査方向後側のＣＩＳ１０２、ＣＩＳ１０４は、千鳥状に配置されている。
【００４０】
図２および図３に示すように、ＣＩＳ１０１はＣＩＳ１０２と、ＣＩＳ１０２はＣＩＳ１０１およびＣＩＳ１０３と、ＣＩＳ１０３はＣＩＳ１０２およびＣＩＳ１０４と、ＣＩＳ１０４はＣＩＳ１０３およびＣＩＳ１０５と、ＣＩＳ１０５はＣＩＳ１０４と、それぞれ主走査方向に隣り合うよう配置されている。そして、主走査方向に隣り合う各ＣＩＳは副走査方向に接触することなく近接するよう配置されている。各ＣＩＳは搬送ローラ１０７、１０８の間に搬送される原稿シートＳ上の画像を読み取る。
【００４１】
各イメージセンサの直上には第１コンタクトガラス４５が設けられ、基準白板２０１がコンタクトガラス１０６に対向するよう設けられている。
【００４２】
主走査方向に隣り合う各ＣＩＳは、主走査方向に重複する読み取り範囲を有しており、この領域を主走査方向重複領域という。信号コネクタ２０４、２０５および信号ハーネス１１１〜１１５は、隣接する各ＣＩＳとの主走査方向重複領域内に配置されている。
【００４３】
副走査方向手前側のＣＩＳ１０１、１０３、１０５に設けられた各信号コネクタに接続する信号ハーネス１１１、１１３、１１５は副走査方向手前側から、矢印Ａの方向に着脱する。副走査方向後側のＣＩＳ１０２、１０４に接続する信号ハーネス１１２、１１４は副走査方向後側から、矢印Ａ´の方向に着脱する。以上の構成により、副走査方向手前側ＣＩＳ１０１、１０３、１０５に設けられた各信号コネクタに接続される信号ハーネス１１１、１１３、１１５と、副走査方向後側ＣＩＳ１０２、１０４に設けられた各信号コネクタに接続される信号ハーネス１１２、１１４は互いに副走査方向反対向きに配置される。
【００４４】
これにより、主走査方向重複領域に配置された信号ハーネス１１１、１１２、１１３、１１４、１１５は、隣接するＣＩＳに干渉することはなく、隣り合うＣＩＳの副走査方向の配置距離を小さくすることが可能になる。
【００４５】
本実施の形態に係る画像読取装置６のＣＩＳの配置構成および制御構成を図４のブロック図を用いて説明する。ここでは簡略化のため、ＣＩＳ１０１、１０２、１０３の３本の密着イメージセンサで説明するが、３本以上でも同様の構成である。
【００４６】
副走査方向手前側のＣＩＳ１０１およびＣＩＳ１０３の一方の端部には信号ハーネス１１１および１１３が設けられ、副走査方向前方を向くように配置されている。副走査方向後側のＣＩＳ１０２の一方の端部には信号ハーネス１１２が設けられ、副走査方向後方を向くように配置されている。
【００４７】
画像処理部７０４はＣＰＵ７１５、メモリ７０５、７０６、７０７、シェーディング補正部７０８、７０９、７１０、画像反転部７１１、７１２を含んで構成されており、各ＣＩＳが取得した画像データに処理を施し、読取画像を出力するようになっている。画像処理部７０４は本発明に係る画像合成手段を構成する。ＣＰＵ７１５は、画像処理部７０４にある、各画像データ処理を司るようになっている。各ＣＩＳで取得した画像データは、各々Ａ／Ｄ変換器７０１、７０２、７０３を通して、画像処理部７０４内のメモリ７０５、７０６、７０７に一次記憶され、蓄積される。メモリ７０５、７０６、７０７は本発明に係る一次記憶手段を構成する。
【００４８】
シェーディング補正部７０８、７０９、７１０は、画像処理部７０４内のメモリ７０５、７０６、７０７に蓄積された、各ＣＩＳの画像データに対し、公知技術であるシェーディング補正を施すことで、主走査方向データのばらつきを補正している。
【００４９】
この後、画像処理部７０４は、副走査方向手前側のＣＩＳ１０１、１０３から取得した画像データのみ、画像反転部７１１、７１２を通して、主走査方向に画像データを反転し、副走査繋ぎ補正部７１３へデータを送信する。一方、副走査方向後側のＣＩＳ１０２から取得した画像データは、主走査方向反転処理を実施せず、副走査繋ぎ補正部７１３へデータ送信する。
【００５０】
すなわち、画像反転部７１１、７１２は隣り合う各ＣＩＳの１つ置きに画像データを主走査方向に反転させるようになっている。画像反転部７１１、７１２は本発明に係る画像データ反転手段を構成している。
【００５１】
ここで図５を用いて、画像反転部７１１、７１２により主走査方向反転処理を行った例について説明する。図５は反転処理を行う前後の画像データを示している。
【００５２】
互いに隣り合うＣＩＳ１０１〜１０５を主走査方向に互いに反転するよう配置しているため、図５の上側に示すように各ＣＩＳの取得データが交互に反転してしまう。画像反転部７１１、７１２により主走査方向反転処理を施すことで画像データは図５の下側に示すように正常なものとなる。
【００５３】
画像処理部７０４は、あらかじめＲＡＭ７１６に記憶された、副走査方向の遅延時間情報に基づき、副走査繋ぎ補正部７１３に送信された、各ＣＩＳ画像データを副走査方向に一列となる様に繋ぎ合わせて合成し、読取画像７１４として出力する。ここで、遅延時間情報とは副走査方向後側のＣＩＳ１０２と副走査方向前側のＣＩＳ１０１、１０３間の副走査に要する時間のことであり、本発明に係る遅延量に相当する。
【００５４】
図６は、本実施の形態に係る画像読取装置６の画像合成の過程を示すフロー図であり、以下同図を用いて画像合成処理について説明する。
【００５５】
まずユーザが、画像形成装置１または、画像読取装置６に原稿シートＳを通紙する（ステップＳ１）。次いで、画像処理部７０４は、Ａ／Ｄ変換器７０１、７０２、７０３により、各ＣＩＳが読み取った画像データをＡ／Ｄ変換する（ステップＳ２）。
【００５６】
画像処理部７０４はステップＳ２においてＡ／Ｄ変換された各ＣＩＳが読み取った画像データを各メモリ７０５、７０６、７０７に蓄積する（ステップＳ３）。画像処理部７０４は、シェーディング補正部７０８、７０９、７１０により各メモリ７０５、７０６、７０７内に蓄積された読取画像データに対し、シェーディング補正を実施する（ステップＳ４）。
【００５７】
画像処理部７０４は、ステップＳ４においてシェーディング補正が施された読取画像データが副走査方向手前側のＣＩＳ１０１、１０３により読み取られたものであるか、副走査方向後側のＣＩＳ１０２により読み取られたものであるかを判断するようになっている（ステップＳ５）。
【００５８】
画像処理部７０４は、読取画像データが副走査方向手前側のＣＩＳ１０１、１０３により読み取られたものであると判断した場合、画像データを主走査方向に反転する（ステップＳ６）。一方、画像処理部７０４は、読取画像データが副走査方向後側のＣＩＳ１０２により読み取られたものであると判断した場合、画像データを主走査方向に反転させず、次のステップＳ８に進む（ステップＳ７）。
画像処理部７０４は、副走査方向繋ぎ補正部７１３により、あらかじめＲＡＭ７１６に記録された副走査方向遅延時間情報に基づく所定の遅延量で各ＣＩＳの画像データを副走査方向に同列に一列になるよう繋ぎ合わせ合成する（ステップＳ８）。
【００５９】
画像処理部７０４は、合成した画像を出力し（ステップＳ９）、画像処理を終了する（ステップＳ１０）。
【００６０】
以上のように、本実施の形態に係る画像読取装置６は、信号コネクタ２０４、２０５に接続する信号ハーネス１１１〜１１５の着脱方向は隣り合う各ＣＩＳ同士で互いに副走査方向の反対向きであり、画像反転部７１１、７１２で１つ置きに反転された画像データを副走査方向に一列に合成するようになっている。
【００６１】
この構成により、信号ハーネス１１１〜１１５と隣接する各ＣＩＳとの干渉を抑制できるので、副走査方向の各ＣＩＳ間の距離の縮小が可能となる。これにより、各ＣＩＳによる画像読み取りに対する原稿搬送速度ムラの影響が低減されるので、ＣＩＳ繋ぎ目画像の品質を向上させることができる。
【００６２】
また、画像反転部７１１、７１２により、主走査方向に交互に反転した画像データを主走査方向に揃えることができる。また、主走査方向に統一された各画像データを副走査方向に一列に合成することで反転されていない正常な画像を取得することができる。
【００６３】
また、隣り合う各ＣＩＳを、副走査方向に接触することなく近接させるよう構成した。この構成により、各ＣＩＳの副走査方向距離が縮小され、各ＣＩＳによる画像読み取りに対する原稿搬送速度ムラの影響が低減されるので、ＣＩＳ繋ぎ目画像の品質を向上させることができる。
【００６４】
また、全ての各ＣＩＳを同一仕様としてもよい。この構成により、部品種類が統一されるので、画像読取装置６の構成を簡素化、低コスト化を実現することができる。また同一仕様のＣＩＳを主走査方向に反転配置するので、画像データが交互に反転せず、正常な出力画像を取得することができる。
【００６５】
本発明によれば、密着イメージセンサ繋ぎ目の画像品質を向上させることができ、画像読取装置および画像形成装置全般に有用である。
【符号の説明】
【００６６】
１  画像形成装置
６  画像読取装置
１０１〜１０５  ＣＩＳ（イメージセンサ）
１１１〜１１５  信号ハーネス（ハーネス）
２０４、２０５  信号コネクタ
７０４  画像処理部（画像合成手段）
７０５、７０６、７０７  メモリ（一次記憶手段）
７１１、７１２  画像反転部（画像データ反転手段）
Ｓ  原稿シート
【先行技術文献】
【特許文献】
【００６７】
【特許文献１】特開２００７−２４３６６４号公報
【特許文献２】特開２００７−２６６９８１号公報
【特許文献３】特開２００８−２２０６２号公報
【図１】
2016152424.tif 000003
【図２】
2016152424.tif 000004
【図３】
2016152424.tif 000005
【図４】
2016152424.tif 000006
【図５】
2016152424.tif 000007
【図６】
2016152424.tif 000008
【図７】
2016152424.tif 000009
【図８】
2016152424.tif 000010
【図９】
2016152424.tif 000011
【図１０】
2016152424.tif 000012